(57)【要約】【課題】遊技球が、流入口付近まで移送されるリフトを設けた下ステージを転動する際において、遊技の趣向性を向上可能なパチンコ遊技機を提供すること。【解決手段】センター役物１６が、上ステージ２０に流入口４６を開口させた入賞補助通路４５と、下ステージ２９側の遊技球を流入口付近に移送可能な受止保持部５３を有するリフト５１と、流入口に流入しなかった遊技球をリフトの受止エリアまで戻す戻しルート４２と、遊技球の排出路４０と、遊技球の入球口１７と、を備える。受止保持部は、遊技球を略直上に移送させ、流入口に移送可能な流入側移送部５４と戻しルートに移送可能な戻し側移送部５５，５６とを備える。リフトの前側には、下ステージを転動する遊技球に接触し、遊技球を流入側移送部と戻し側移送部との少なくとも一方側に案内可能な位置と案内不能とする位置とに配置されるように、循環移動する案内部７２，７７、が配設されている。【選択図】図３
2010167211.tif 000002
【特許請求の範囲】
【請求項１】
センター役物が、
遊技球をそれぞれ転動可能な上ステージと該上ステージの下方に配置される下ステージとの少なくとも二つのステージを有するステージ部と、
遊技球を、前記上ステージに開口させた流入口から流入させ、流出口から入賞口へ向けて流出可能とする入賞補助通路と、
前記下ステージ側の遊技球を前記上ステージ側における前記流入口付近に移送可能に、移送動作を繰り返すとともに、前記下ステージ側の遊技球を受け止めて保持し、かつ、前記上ステージ側で遊技球を離脱可能な受止保持部を有して構成されるリフトと、
前記流入口に流入しなかった遊技球を、前記上ステージから前記下ステージにおける前記リフトの遊技球の受止エリアまで転動させて戻し可能な戻しルートと、
前記下ステージに配置されて、前記下ステージの前縁から遊技球をセンター役物外へ排出可能な排出路と、
前記ステージ部に遊技球を入球させる入球口と、
を備えて構成され、
前記リフトの前記受止保持部が、前記下ステージ側で受け止めた遊技球を略直上に移送させる構成として、受止保持した遊技球を前記上ステージ側における前記流入口に流入可能なエリアに移送可能な流入側移送部と、受止保持した遊技球を前記上ステージ側における前記戻しルートのエリアに移送可能な戻し側移送部と、を備えて構成されているパチンコ遊技機であって、
前記下ステージ側における前記リフトの前側に、前記下ステージを転動する遊技球に接触して、前記遊技球を前記流入側移送部と前記戻し側移送部との少なくとも一方側に案内可能とするとともに、前記遊技球を前記流入側移送部と前記戻し側移送部との少なくとも一方側に案内可能な位置と案内不能とする位置とに配置されるように、循環移動する案内部、が配設されていることを特徴とするパチンコ遊技機。
【請求項２】
前記流入口の周囲における前記戻しルートのエリアが、前記流入口の左右両側に配置されて、
前記リフトの前記受止保持部が、前記流入口と前記流入口の左右両側における戻しルートのエリアとの部位に対応して、前記戻し側移送部を前記流入側移送部の左右両側に配置させて構成されて、
前記案内部が、
左右の前記戻し側移送部の前側を、同時、若しくは、交互に覆うように、配設されるとともに、
左右の前記戻し側移送部の少なくとも一方を覆う際に、前記流入側移送部に遊技球を案内可能に前記流入側移送部の前側を開けるように、配設されていることを特徴とする請求項１に記載のパチンコ遊技機。
【請求項３】
前記案内部が、前記流入側移送部の左右両側に配置されて、相互に接近しかつ離隔するように循環移動するとともに、相互の接近時に、前記流入側移送部の前側を開け、かつ、相互の離隔時に、前記流入側移送部と左右の前記戻し側移送部との前側を開けるように、配設されていることを特徴とする請求項２に記載のパチンコ遊技機。
【請求項４】
前記案内部が、前記流入側移送部の左右両側に配置されて、相互の離隔距離を略等しくして、左右方向に往復移動するとともに、前記流入側移送部の前側を開けて、左右の一方の前記戻し側移送部の前側を交互に覆うように、配設されていることを特徴とする請求項２に記載のパチンコ遊技機。
【請求項５】
前記案内部が、前記ステージ部上で突出するとともに前記案内部に連動して左右に往復移動する装飾体を、連結させて配設されていることを特徴とする請求項３若しくは請求項４に記載のパチンコ遊技機。
【請求項６】
前記装飾体が、前記上ステージから前記下ステージに転動する前記戻しルートの連通口を開閉可能な蓋体として構成されていることを特徴とする請求項５に記載のパチンコ遊技機。
【請求項７】
前記リフトが、左右方向に沿う回転軸を有して回転するとともに、
前記リフトの受止保持部が、略円柱形状として、外周面に、遊技球を吸着可能な磁石を配設させて構成されていることを特徴とする請求項１乃至請求項６のいずれか１項に記載のパチンコ遊技機。
【請求項８】
前記磁石が、前記流入側移送部と前記戻し側移送部とにそれぞれ配設され、
前記流入側移送部に配設される前記磁石と前記戻し側移送部に配設される前記磁石とが、前記リフトの回転軸の軸周り方向で、ずれて配設されていることを特徴とする請求項７に記載のパチンコ遊技機。
【請求項９】
前記磁石が、前記流入側移送部と前記戻し側移送部とにそれぞれ配設され、
前記流入側移送部に配設される前記磁石と前記戻し側移送部に配設される前記磁石とが、前記リフトの回転軸に沿って、配設されていることを特徴とする請求項７に記載のパチンコ遊技機。
【発明の詳細な説明】
【技術分野】
【０００１】
本発明は、センター役物が、上ステージから下ステージに転動する遊技球を下ステージから上ステージに上げる移送動作を繰り返すリフト、を備えて構成されているパチンコ遊技機に関する。
【背景技術】
【０００２】
従来、パチンコ遊技機では、遊技球を下ステージから上ステージに上げるような移送動作を繰り返すリフトを、センター役物に設けたものが知られている（例えば、特許文献１参照）。
【０００３】
このセンター役物では、上ステージの左右方向の中央付近に、入賞補助通路の流入口を配置させ、流入口の前側の下ステージの部位に、リフトを配置させていた。なお、入賞補助通路は、流出口を下ステージ下方に位置した入賞口の上方で開口させて、流入口から流入した遊技球を、入賞口へ入り易くするように流出口から流出させるものである。この入賞口は、デジパチ等での抽選を開始する始動入賞口等であり、入球によって遊技者に特典を与えることとなる。
【０００４】
そして、リフトは、移送動作を回転動作とする回転タイプとして、下ステージ側の遊技球を、上ステージ側における流入口付近に移送可能に、左右方向に沿う回転軸を有して回転するとともに、外周側に、上ステージ側で遊技球を離脱可能として、下ステージ側の遊技球を受け止めて保持可能な受止保持部を備えて、構成されていた。
【０００５】
また、流入口の周囲には、流入口に流入しなかった遊技球を、上ステージから下ステージにおけるリフトの遊技球の受止エリアまで転動させて戻し可能な戻しルートが、配設されていた。
【０００６】
この戻しルートは、上ステージの流入口の左右両側のエリアが、上ステージの左右両縁側に向けて低くなる傾斜面として形成され、また、下ステージのエリアが、左右両縁を上ステージの縁側に上面を連ならせて、左右方向の中央付近を下方へ低くして構成されていた。そして、下ステージの中央付近は、リフトの前側に配置されて、受止エリアとするとともに、前縁側を、遊技球をセンター役物外の下方へ排出可能な排出路としていた。
【０００７】
さらに、センター役物の周囲の飾り枠体におけるステージ部の上方側には、入球した遊技球を下ステージ上に転動可能に案内する入球口としてのワープ通路の入口が、開口していた。
【０００８】
また、リフトは、受止保持部が、リフトの外周側に、遊技球を吸着可能な磁石を設けて構成されて、下ステージ側で吸着して受け止めた遊技球を回転方向に沿って略直上に移送させる構成としていた。さらに、受止保持部は、受止保持した遊技球を上ステージ側における流入口に流入可能なエリアに移送可能な流入側移送部と、受止保持した遊技球を上ステージ側における戻しルートのエリアに移送可能な戻し側移送部と、を備えて構成されていた。
【０００９】
そして、遊技球は、下ステージを転動中に、リフトにおける受止保持部を構成する磁石に吸着されれば、リフトにより上ステージ側に移送され、リフトにおける遊技球を吸着した部位が、流入側移送部であれば、遊技球が上ステージの流入口に転動され、リフトにおける遊技球を吸着した部位が、戻し側移送部であれば、遊技球が戻しルートを経て、上ステージから下ステージに転動することとなる。この下ステージに転動した遊技球は、再度、リフトの受止保持部に吸着されれば、リフトによって上ステージ側に移送され、そして、流入口側に転動するか、若しくは、戻しルートを通るように下ステージ側に転動する。あるいは、下ステージに転動した遊技球が、リフトの受止保持部に受け止められなければ（吸着されなければ）、排出路から排出することとなっていた。
【００１０】
このようなパチンコ遊技機では、遊技球が、リフトの受止保持部で保持されて、入賞補助通路の流入口に入球するか、あるいは、下ステージに転動するかで、遊技者にハラハラドキドキさせることができた。
【先行技術文献】
【特許文献】
【００１１】
【特許文献１】特開２００４−９７８００号公報
【発明の概要】
【発明が解決しようとする課題】
【００１２】
しかし、従来のパチンコ遊技機では、リフトの受止保持部が遊技球を保持するタイミングが、単に、下ステージを転動する遊技球がリフトの受止エリアに配置され、かつ、移送動作を繰り返して受止保持部（磁石）が受止エリアに配置された際に、受止保持部が遊技球を保持することとなり、その際に、流入側移送部と戻し側移送部とのどちらの部位が、遊技球を受け止めることとなるか、下ステージを転動する遊技球の速度とリフトとの移送動作の速度（従来例では回転速度）とによって、容易に予測できてしまい、遊技の趣向性を一層向上させる点に改善の余地があった。
【００１３】
本発明は、上述の課題を解決するものであり、遊技球が流入口付近まで移送されるリフトを設けた下ステージを転動する際において、遊技の趣向性を向上させることができるパチンコ遊技機を提供することを目的とする。
【課題を解決するための手段】
【００１４】
本発明に係るパチンコ遊技機は、センター役物が、
遊技球をそれぞれ転動可能な上ステージと上ステージの下方に配置される下ステージとの少なくとも二つのステージを有するステージ部と、
遊技球を、上ステージに開口させた流入口から流入させ、流出口から入賞口へ向けて流出可能とする入賞補助通路と、
下ステージ側の遊技球を上ステージ側における流入口付近に移送可能に、移送動作を繰り返すとともに、下ステージ側の遊技球を受け止めて保持し、かつ、上ステージ側で遊技球を離脱可能な受止保持部を有して構成されるリフトと、
流入口に流入しなかった遊技球を、上ステージから下ステージにおけるリフトの遊技球の受止エリアまで転動させて戻し可能な戻しルートと、
下ステージに配置されて、下ステージの前縁から遊技球をセンター役物外へ排出可能な排出路と、
ステージ部に遊技球を入球させる入球口と、
を備えて構成され、
リフトの受止保持部が、下ステージ側で受け止めた遊技球を略直上に移送させる構成として、受止保持した遊技球を上ステージ側における流入口に流入可能なエリアに移送可能な流入側移送部と、受止保持した遊技球を上ステージ側における戻しルートのエリアに移送可能な戻し側移送部と、を備えて構成されているパチンコ遊技機であって、
下ステージ側におけるリフトの前側に、下ステージを転動する遊技球に接触して、遊技球を流入側移送部と戻し側移送部との少なくとも一方側に案内可能とするとともに、遊技球を流入側移送部と戻し側移送部との少なくとも一方側に案内可能な位置と案内不能とする位置とに配置されるように、循環移動する案内部、が配設されていることを特徴とする。
【００１５】
本発明に係るパチンコ遊技機では、入球口を経てステージ部上に転動した遊技球が下ステージ側を転動する際、案内部が、リフトの前側の受止エリアの前側で、循環移動している。この案内部の循環移動は、案内部が下ステージを転動する遊技球に接触しつつ、遊技球を流入側移送部と戻し側移送部との少なくとも一方側に案内可能に移動する。そしてさらに、案内部の循環移動は、遊技球を、流入側移送部と戻し側移送部との少なくとも一方側に案内可能な位置と、案内不能とする位置と、に配置されるように、移動するものである。
【００１６】
そのため、リフトの移送動作を繰り返している際、流入側移送部と戻し側移送部とのどちらの部位が、遊技球を受け止めることとなるか、下ステージを転動する遊技球の速度と、流入側移送部と戻し側移送部とを備えたリフトの移送動作の速度と、に加えて、流入側移送部と戻し側移送部との少なくとも一方側への案内部の案内動作が加わることから、遊技球が、流入側移送部若しくは戻し側移送部のどちらに受止保持されるかが、案内部の循環移動によって幻惑されて予測し難くなる。そして勿論、リフトの受止エリアが配設されている下ステージには、遊技球をセンター役物外へ排出可能な排出路が配設されており、遊技球は、リフトに受止保持されずに、排出路から排出される可能性もある。そのため、下ステージを遊技球が転動する際、遊技球を受止保持可能なリフトが移送動作を繰り返すだけでなく、案内部の循環移動による幻惑動作（案内動作でもあり、さらに、案内されない側の移送部側から見れば邪魔する邪魔動作ともなる）も加わって、遊技球が、リフトの受止保持部における流入側移送部若しくは戻し側移送部のどちらかに受止保持されて移送を開始されるか、あるいは、排出路から排出されるかを、それらの動作が確定するまで、遊技者にハラハラドキドキさせることとなる。
【００１７】
したがって、本発明に係るパチンコ遊技機では、流入口付近まで遊技球を移送可能なリフトを設けた下ステージを遊技球が転動する際、案内部の幻惑動作（案内、邪魔動作）により、遊技球が、流入口に流入し易い流入側移送部に受止保持されて移送を開始するか、戻しルートに転動する戻し側移送部に受止保持されて移送を開始するか、あるいは、排出路から排出されてしまうか、を、それらの動作が確定するまで、遊技者にハラハラドキドキさせることとなって、遊技の趣向性を向上させることができる。
【００１８】
そして、流入口の周囲における戻しルートのエリアが、流入口の左右両側に配置させる場合には、リフトの受止保持部も、流入口と流入口の左右両側における戻しルートのエリアとの部位に対応して、戻し側移送部を流入側移送部の左右両側に配置させて構成し、案内部は、左右の戻し側移送部の前側を、同時、若しくは、交互に覆うように、配設するとともに、左右の戻し側移送部の少なくとも一方を覆う際に、流入側移送部に遊技球を案内可能に流入側移送部の前側を開けるように、配設することが望ましい。
【００１９】
このような構成では、案内部が、左右の戻し側移送部の少なくとも一方の前側を開閉するように覆う構成であり、それらの戻し側移送部の前側が案内部に覆われている際に、流入側移送部の前側が開けられており、案内部が、極力、戻し側移送部を覆って、受止エリアの遊技球を、流入側移送部に案内することなる。すなわち、遊技球が、リフトにおける受止保持部に受止保持される際、流入口に流入し易い流入側移送部に保持される確率が高まって、流入口に流入する期待感が増進されることから、遊技の趣向性を向上させることができる。
【００２０】
この場合、案内部は、リフトの前側で、鉛直方向に沿って、上下動したり、回転移動したり、あるいは、左右方向に沿って移動して、戻し側移送部の前側を開閉することができる。
【００２１】
そして、案内部を左右方向に沿って移動させる場合には、案内部は、流入側移送部の左右両側に配置させて、相互に接近しかつ離隔するように循環移動するとともに、相互の接近時に、流入側移送部の前側を開け、かつ、相互の離隔時に、流入側移送部と左右の戻し側移送部との前側を開けるように、配設することができる。このような構成では、常時、流入側移送部の前側を開けて、左右の戻し側移送部を同時に開閉することができる。また、左右の案内部が、リフトの前側を小さく開けた状態から大きく開け、相互の相対移動量を大きくすることから、案内部に所定の意匠を施した際に、それらの案内部によって、ダイナミックな演出を可能にできる。
【００２２】
また、案内部を左右方向に沿って移動させる場合には、案内部は、流入側移送部の左右両側に配置させて、相互の離隔距離を略等しくして、左右方向に往復移動させるとともに、流入側移送部の前側を開けて、左右の一方の戻し側移送部の前側を交互に覆うように、配設することもできる。
【００２３】
そして、上記のように、案内部を左右方向に沿って移動させる場合、ステージ部上で突出するとともに案内部に連動して左右に往復移動する装飾体を、案内部に連結させて配設すれば、案内部と装飾体との左右方向に沿う循環移動により、ステージ部での演出効果を一層高めることもできる。
【００２４】
さらにこの場合、装飾体を、上ステージから下ステージに転動する戻しルートの連通口を開閉可能な蓋体として構成することもできる。このような構成では、連通口を開口する蓋体（装飾体）の移動タイミングと左右の戻し側移送部を塞ぐ案内部との閉塞タイミングとを対応させることができる。そのため、例えば、上ステージ側に蓋体で留めておいた遊技球を、蓋体の移動により、連通口を経て下ステージ側に転動させ、そして、リフトの受止エリアに転動してくる際、案内部で塞いだ戻し側移送部を通過させて、遊技球を、流入側移送部に案内することも可能となり、この場合には、連通口を経て下ステージに転動する遊技球が、リフトを利用して、流入口に流入する確率を高くできて、一層、遊技の趣向性を向上させることができる。
【００２５】
また、リフトは、上面側を、下ステージ側で遊技球を受け止めて上ステージ側に上昇させ、流入口や戻しエリアに転動させるような受止保持部として、上下動を繰り返す上下往復移動タイプでもよいが、左右方向に沿う回転軸を有して回転する回転タイプとしてもよい。そして、リフトを回転タイプとする場合には、リフトの受止保持部は、略円柱形状として、外周面に、遊技球を吸着可能な磁石を配設させて構成することが望ましい。このような構成では、他の回転タイプのリフトのような、受止保持部として、遊技球を保持可能なバケットや羽根から構成する場合に比べて、直径寸法をコンパクトに構成でき、ステージ部の前後方向の幅寸法に制限のある場合に好適となる。
【００２６】
この場合、磁石は、流入側移送部と戻し側移送部とにそれぞれ配設して、流入側移送部に配設される磁石と戻し側移送部に配設される磁石とを、リフトの回転軸の軸周り方向で、ずれて配設したり、あるいは、流入側移送部に配設される磁石と戻し側移送部に配設される磁石とを、リフトの回転軸に沿わせて、配設することができる。
【００２７】
そして、前者の場合、例えば、リフトの受止保持部における受止エリア側のエリアにおいて、戻し側移送部に磁石を設けずに、流入側移送部に磁石を設けて、戻し側移送部の前側が開いていても、開いている流入側移送部で遊技球を吸着させ、遊技球の流入口への流入の期待感を、向上させることができる。逆に、リフトの回転角度によっては、流入側移送部の前側だけ開いていても、そのエリアの流入側移送部に磁石を配設させずに、遊技球を吸着させないように構成することもできる。すなわち、前者の構成の場合には、戻し側移送部の前側を覆う案内部の循環移動と、リフトの回転に伴う磁石の回転移動と、のタイミングを、同期させたり、あるいは、同期させないように設定する他に、流入側移送部と戻し側移送部とに設ける磁石の配置の設定により、流入側移送部に遊技球を吸着させる確率を、容易に、種々設定できる。
【００２８】
また、後者の構成の場合、磁石が、リフトの回転軸に沿って流入側移送部と戻し側移送部とにわたるエリアに配設されており、リフトの遊技球を吸着するタイミングが、流入側移送部と戻し側移送部とで一致するため、受止保持部が遊技球を吸着する際、案内部が、戻し側移送部の前側を開けていれば、遊技球を戻し側移送部に吸着させ、戻し側移送部の前側を覆っていれば、遊技球を流入側移送部に吸着させることができる。すなわち、リフトの受止保持部が遊技球を吸着する際に、案内部の循環移動に依存されて、案内部が前側を開けている戻し側移送部若しくは流入側移送部に、遊技球を吸着させることができて、流入側移送部に遊技球を吸着させる確率を、容易に安定させることができる。
【図面の簡単な説明】
【００２９】
【図１】本発明の一実施形態のパチンコ遊技機における遊技盤面を示す概略正面図である。
【図２】実施形態のセンター役物を示す概略斜視図であり、案内部の相互の接近時の状態を示す。
【図３】実施形態のセンター役物を示す概略斜視図であり、案内部の相互の離隔時の状態を示す。
【図４】実施形態のリフト付近の概略正面図であり、案内部の相互の接近時から相互に離隔する状態を順に示す。
【図５】実施形態のリフト付近における図４のＡのＶ−Ｖ部位に対応する前後方向に沿った概略縦断面図であり、遊技球を吸着して流入口に流入させる状態を順に示す。
【図６】実施形態のリフト付近における図４のＢのVI−VI部位に対応する前後方向に沿った概略縦断面図であり、遊技球を吸着して戻しエリアに転動させる状態を順に示す。
【図７】実施形態のリフトと案内部とを示す概略斜視図である。
【図８】実施形態の変形例のリフトの斜視図である。
【図９】図８に示すリフトを使用した遊技機のリフト付近の概略正面図であり、案内部の相互の接近時から相互に離隔する状態を順に示す。
【図１０】図９に示す遊技機のリフト付近における図９のＡのＸ−Ｘ部位に対応する前後方向に沿った概略縦断面図であり、遊技球を吸着して流入口に流入させる状態を順に示す。
【図１１】図９に示す遊技機のリフト付近における図９のＢのXI−XI部位に対応する前後方向に沿った概略縦断面図であり、遊技球を吸着して戻しエリアに転動させる状態を順に示す。
【図１２】実施形態の変形例のセンター役物を示す概略斜視図であり、一方の案内部が一方の戻し側移送部の前側を覆っている状態を示す。
【図１３】図１２に示すセンター役物を示す概略斜視図であり、他方の案内部が他方の戻し側移送部の前側を覆っている状態を示す。
【図１４】図１２に示す遊技機のリフト付近の概略正面図であり、案内部の循環移動を順に示す図である。
【図１５】実施形態の他の変形例のセンター役物を示す概略斜視図であり、案内部が戻し側移送部の前側を覆っている状態を示す。
【図１６】図１５に示すセンター役物の案内部が、戻し側移送部の前側を開けている状態を示す。
【図１７】実施形態の他の変形例の案内部を示すリフト付近の正面図であり、案内部が戻し側移送部の前側を開けている状態と戻し側移送部の前側を覆っている状態とを順に示す。
【図１８】図１７に示す案内部を設けたセンター役物を示す概略斜視図である。
【図１９】実施形態のさらに他の変形例のセンター役物を示す概略斜視図であり、案内部が戻し側移送部の前側を覆った状態のリフトの下降時の状態を示す。
【図２０】図１９に示すリフトの上昇時を示す概略斜視図である。
【図２１】図１９に示すリフトの下降時において、案内部が戻し側移送部の前側を開けた状態の概略斜視図である。
【発明を実施するための形態】
【００３０】
以下、本発明の一実施形態を図面に基づいて説明すると、実施形態のパチンコ遊技機（以下、単に遊技機と略す）１では、図１に示すように、遊技盤面２における外側レール３と内側レール４とで囲まれた遊技領域５を備え、遊技領域５には、その中央に、飾り枠体１３に囲まれてセンター役物１６が配設されている。センター役物１６の後方には、液晶等で所定の図柄を表示する図柄表示装置１４が配設されている。
【００３１】
遊技領域５の飾り枠体１３の周囲には、図示しない釘、風車６、普通入賞口７、賞球の無い入賞口８、始動入賞口９、電動チューリップ１０、大入賞口１１、アウト口１２等の公知の部材が配設されて、図示しないハンドルを操作し、遊技球を外側レール３と内側レール４との間から遊技領域５に打ち出せば、遊技球は、普通入賞口７、賞球の無い入賞口８、始動入賞口９、電動チューリップ１０、大入賞口１１、アウト口１２のいずれかに入球する。そして、遊技球が、普通入賞口７や開放時の大入賞口１１に入賞すれば、所定数の遊技球を獲得でき、入賞口８に入賞すれば、抽選により電動チューリップ１０を所定時間若しくは所定回数開放させることとなる。また、遊技球が、始動入賞口９や開放時の電動チューリップ１０に入賞すれば、抽選により、大当たり、中当たり、小当たり等の当たりや外れが決定され、当たりとなれば、大入賞口１１を、その当たりに応じて開放時間、開放回数、入賞個数等を制限して、開放することとなる。これらの作動や遊技フローは、公知のものであり、遊技盤面２の背面側に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプやスピーカ等を作動させつつ、所定の演出を図柄表示装置１４に表示することとなる。
【００３２】
そして、飾り枠体１３で囲まれた実施形態のセンター役物１６は、図２に示すように、ステージ部１９、ワープ通路１７、入賞補助通路４５、及び、リフト５１を配設させて構成されている。ステージ部１９は、飾り枠体１３の下枠１３ａ側に配置されて、遊技球Ｂを上面側でそれぞれ転動可能な上ステージ２０と上ステージ２０の下方に配置される下ステージ２９との少なくとも二つのステージ２０，２９を有して構成されている。なお、実施形態では、図柄表示装置１４に近い後部側に上ステージ２０が配設され、下ステージ２９が、前部側に配置されている。
【００３３】
ワープ通路１７は、図１，２に示すように、ステージ部１９への遊技球Ｂの入球口となるもので、飾り枠体１３におけるステージ部１９の上方側の左枠１３ｂ側で開口した入口１７ａから入る遊技球Ｂを、ステージ部１９の下ステージ２９の左縁側に転動可能に案内するように、配設されている。
【００３４】
入賞補助通路４５は、図１，２に示すように、流出口４７を下ステージ２９の下方に位置した始動入賞口９の上方で開口させ、また、上ステージ２０の左右方向の中央付近に流入口４６を開口させて構成されて、流入口４６から流入した遊技球Ｂを、自重により、流出口４７まで転動させ、流出口４７から、始動入賞口９へ流出可能として、始動入賞口９への入賞を補助するために配設されている。この入賞補助通路４５は、図５に示すように、上ステージ２０の左右方向の中央付近に配置された流入口４６から、上ステージ２０の背面、下方、さらに、下ステージ２９の左右方向の中央の下方に位置する流出口４７まで、前後方向に沿った略Ｌ字状の通路として構成されている。
【００３５】
そして、ステージ部１９の上ステージ２０は、図２，３に示すように、流入口４６を開口させた中央部２１の左右両側に、上面側で遊技球Ｂを転動可能な左面部２２と右面部２３とを配設させている。これらの左面部２２と右面部２３とは、それぞれ、中央部２１から離れるに従って低くし、さらに、最も低い底部２２ｂ，２３ｂから外縁２２ｃ，２３ｃ側にかけて、徐々に高くするように構成されている。また、左面部２２と右面部２３との中央部２１側には、リフト５１によって移送されても流入口４６に流入しなかった遊技球Ｂを、受け入れて、底部２２ｂ，２３ｂ側に転動させるエリア（戻しエリア）２２ａ，２３ａが、配設されている。戻しエリア２２ａ，２３ａと流入口４６との間には、相互に平行として、後述する背面壁２６側から前方側に延びてリフト５１の上方側に配置される区画壁４９，４９が配設されている。また、左面部２２と右面部２３との底部２２ｂ，２３ｂは、下ステージ２９側に遊技球Ｂを転動させる連通口４３を構成する部位としている。なお、実施形態の場合、左右の連通口４３は、後述する装飾体７９，７４を蓋体８０，７５として、開閉されることとなる。
【００３６】
また、上ステージ２０の後縁側には、図１，２に示すように、図柄表示装置１４側との境界として、背面壁２６が左右方向に沿って上方に突設され、背面壁２６の左右方向の中央には、既述の流入口４６が延設されて開口している。
【００３７】
ステージ部１９の下ステージ２９は、図２，３に示すように、上面側で遊技球Ｂを転動可能として、左右方向の中央付近となる中央部３０を低くし、中央部３０の左右両側を高くするように構成され、左右の左縁３４付近と右縁３５付近とが、上ステージ２０の左面部２２と右面部２３との外縁２２ｃ，２３ｃ付近と略面一の同じ曲面として、形成されている。また、下ステージ２９の中央部３０には、図５，６に示すように、後部側に配置されて遊技球Ｂをリフト５１に案内可能な後下がりの案内面３１と、前部側に配置される前下がりの傾斜面３２と、が配設されている。案内面３１は、リフト５１における遊技球Ｂの受止エリア３０ａを構成することとなり、傾斜面３２は、遊技球Ｂを下ステージ２９の前縁から飾り枠体１３（センター役物１６）外の下方へ自由落下させて排出する排出路４０を構成することとなる。また、下ステージ２９の前縁側には、傾斜面３２が配設されたエリアを除いて、すなわち、排出路４０のエリアを除いて、遊技球Ｂの前方側への落下を防止可能な突条３７，３８が、小さな突出量として、上方に突設されている。
【００３８】
なお、排出路４０から落下する遊技球Ｂは、排出路４０が左右方向に幅広に開口された状態としており、入賞補助通路４５の流出口４７から始動入賞口９に向けて落下するように流出される場合と相違して、殆ど、始動入賞口９に入賞せずに、落下していくこととなる。
【００３９】
また、ワープ通路１７の出口１７ｂは、中央部３０側に向いて、下ステージ２９の左縁３４付近に配設されている。
【００４０】
そして、遊技球Ｂが、図２，３に示すように、リフト５１に受止保持されて上ステージ２０の中央部２１付近まで持ち上げられ、流入口４６に流入しなかった場合には、その遊技球Ｂは、左面部２２や右面部２３のエリア（戻しエリア）２２ａ，２３ａから底部２２ｂ，２３ｂ付近まで転動し、連通口４３，４３を経て、底部２２ｂ，２３ｂから下ステージ２９に転動し、そして、中央部３０のリフト５１付近まで転動し、排出路４０から排出されなければ、受止エリア３０ａとしての案内面３１に転動し、再度、リフト５１で受止保持されて循環するようなループ動作する場合が生ずる。すなわち、左面部２２や右面部２３は、下ステージ２９とともに、連通口４３，４３を利用して、遊技球Ｂをループ動作で戻すような戻しルート４２を構成している。
【００４１】
リフト５１は、図３〜６に示すように、下ステージ２９側の遊技球Ｂを、上ステージ２０側における流入口４６付近に移送可能に、移送動作を繰り返すものである。そして、リフト５１は、下ステージ２９側の遊技球Ｂを受け止めて保持し、かつ、上ステージ２０側で遊技球Ｂを離脱可能な受止保持部５３、を備えて構成されている。受止保持部５３は、下ステージ２９側で受け止めた遊技球Ｂを略直上に移送させる構成として、受止保持した遊技球Ｂを上ステージ２０側における流入口４６に流入可能なエリアに移送可能な流入側移送部５４（図４のＡ、図５のＡ，Ｂ，Ｃ参照）と、受止保持した遊技球Ｂを上ステージ２０側における戻しルート４２の戻しエリア２２ａ，２３ａに移送可能な戻し側移送部５５，５６（図４のＢ、図６のＡ，Ｂ参照）と、を備えて構成されている。
【００４２】
なお、実施形態の場合、流入口４６の周囲の戻しエリア２２ａ，２３ａが、流入口４６の左右両側に、配置されており、受止保持部５３は、流入口４６と流入口４６の左右両側における戻しエリア２２ａ，２３ａとの部位に対応して、戻し側移送部５５，５６を、流入側移送部５４の左右両側に配置させて構成されている。
【００４３】
また、実施形態の場合、リフト５１は、左右方向に沿う回転軸Ｃ（図５，６参照）を有して回転する回転タイプとして、受止保持部５３は、略円柱形状のロータ５２の外周面に、遊技球Ｂを吸着可能な磁石５８，５９を配設させて構成されている。磁石５８は、流入側移送部５４に一個配設され、磁石５９は、左右の戻し側移送部５５，５６に、それぞれ、回転軸Ｃの軸周り方向に、１２０°ずつずれた位置に配置されている。なお、磁石５８は、一つの磁石５９に対して、回転軸Ｃの軸周り方向に１８０°ずれた位置に、配置されている。また、磁石５８，５９は、受止保持部５３での配置を遊技者が認識できるように、ロータ５２の外周面側に所定の色や模様等の意匠が施されて、配設されている。
【００４４】
ロータ５２は、その軸方向に沿う長さ寸法Ｌ（図４のＢ参照）を、左右の戻しエリア２２ａ，２３ａと流入口４６とを合わせた長さ寸法とし、遊技球Ｂの直径寸法の４〜５倍程度（実施形態では約５０ｍｍ）としている。そして、各磁石５８，５９は、流入側移送部５４や戻し側移送部５５，５６の各々の左右方向（軸方向）の中央付近に配置されている。また、このロータ５２の回転方向は、磁石５８が、受止エリア３０ａ側の前面側に向いた状態から、上方側に向き、さらに、流入口４６内に入り込むような後方回転としている。
【００４５】
さらに、ステージ部１９内には、ロータ５２の外周面と僅かな隙間を開けて、リフト５１の軸方向に沿って配置される剥離板６３が配置され（図５，６参照）、磁石５８，５９に吸着された遊技球Ｂを、リフト５１の回転に伴い、剥離板６３に当てて磁石５８，５９から剥し、入賞補助通路４５に落下させるように構成されている。
【００４６】
そして、下ステージ２９側におけるリフト５１の前側には、案内部７２，７７が配設されている。各案内部７２，７７は、下ステージ２９を転動する遊技球Ｂに接触して、遊技球Ｂを流入側移送部５４と戻し側移送部５５，５６との少なくとも一方側に、実施形態では、流入側移送部５４に案内可能とするものである。さらに、各案内部７２，７７は、遊技球Ｂを流入側移送部５４と戻し側移送部５５，５６との少なくとも一方側に対して、実施形態では、戻し側移送部５５，５６に対して、案内可能な位置と案内不能とする位置とに、配置されるように、循環移動する。
【００４７】
具体的には、実施形態の場合、案内部７２，７７は、左右方向に沿って、相互に接近しかつ離隔するように循環移動し、相互の接近時、流入側移送部５４の前側を開けた状態で、左右の戻し側移送部５５，５６の前側を、同時に覆い、かつ、相互の離隔時に、流入側移送部５４と左右の戻し側移送部５５，５６との前側を開けるように、配設されている。
【００４８】
なお、左右の案内部７２，７７は、図７に示すように、それぞれ、装飾体７４，７９を一体的に連結させた移動体７１，７６に配設されて、装飾体７４，７９とともに、雲形状の意匠を施された略半円板状として、上ステージ２０と下ステージ２９との間の左右に延びたスリット１９ａ，１９ｂ，１９ｃ（図２参照）から上方に突出している。各移動体７１，７６は、それぞれ、案内部７２，７７と装飾体７４，７９とを連結杆部７３，７８によって連結して構成されている。連結杆部７３は、リフト５１の左方側の案内部７２と右面部２３側の連通口４３付近に配置される装飾体７４とを連結しており、二つのリンク７３ａ，７３ｄから構成されている。リンク７３ａは、案内部７２の下部に連結され、リンク７３ｄは、支持部７３ｅを装飾体７４の下部に連結させている。そして、リンク７３ａ，７３ｄは、対応する凹凸形状を設けて相互に嵌めた枢着部７３ｃ，７３ｆにより、揺動可能に連結されている。また、連結杆部７８は、リフト５１の右方側の案内部７７と左面部２２側の連通口４３付近に配置される装飾体７９とを連結しており、二つのリンク７８ａ，７８ｄから構成されている。リンク７８ａは、案内部７７の下部に連結され、リンク７８ｄは、支持部７８ｅを装飾体７９の下部に連結させている。そして、リンク７８ａ，７８ｄも、対応する凹凸形状を設けて相互に嵌めた枢着部７８ｃ，７８ｆにより、揺動可能に連結されている。
【００４９】
これらの移動体７１，７６は、相互に略左右対称形に形成され、リンク７３ａ，７８ａに設けられた摺動溝部７３ｂ，７８ｂに図示しない回動カムが接続され、図示しない回動カムの回転により、移動体７１，７６が、左右方向に沿って往復移動することとなる。
【００５０】
ちなみに、移動体７１の往復移動時には、図４のＡ，Ｂに示すように、案内部７２の右縁７２ｂが、流入側移送部５４の前側を隠さない状態として、左方側の戻し側移送部５５の右縁５５ｂに配置された状態から、戻し側移送部５５の前側を覆わない状態の戻し側移送部５５の左縁５５ａ付近まで、の左右の移動距離分、往復移動し、その際、装飾体７４は、左端側に移動した際、右面部２３側の連通口４３の前側を塞ぎ（図４のＢ参照）、右端側に移動した際、その連通口４３を開口することとなる（図４のＡ参照）。なお、装飾体７４が右面部２３側の連通口４３の前側を閉口している際、実施形態の場合には、右側の案内部７７が右端側に移動しており、右面部２３側の連通口４３の前側が、装飾体７４と案内部７７の右縁７７ｂ付近とによって、二枚重ねで塞がれることとなる（図４のＢ参照）。
【００５１】
また、移動体７６の往復移動時には、図４のＡ，Ｂに示すように、案内部７７の左縁７７ａが、流入側移送部５４の前側を隠さない状態として、右方側の戻し側移送部５６の左縁５６ａに配置された状態から、戻し側移送部５６の前側を覆わない状態の戻し側移送部５６の右縁５６ｂ付近まで、の左右の移動距離分、往復移動し、その際、装飾体７９は、右端側に移動した際、左面部２２側の連通口４３の前側を塞ぎ（図４のＢ参照）、左端側に移動した際、その連通口４３を開口することとなる（図４のＡ参照）。なお、装飾体７９が左面部２２側の連通口４３の前側を閉口している際、実施形態の場合には、左側の案内部７２が左端側に移動しており、左面部２２側の連通口４３の前側が、装飾体７９と案内部７２の左縁７２ａ付近とによって、二枚重ねで塞がれることとなる（図４のＢ参照）。
【００５２】
なお、移動体７１，７６は、それぞれ、リンク７３ｄ，７８ｄ付近が飾り枠体１３の内部の図示しない支持板により、左右方向に沿って往復移動可能に、支持されている。そして、摺動溝部７３ｂ，７８ｂに接続された図示しない回動カムは、図示しな歯車機構やリンク機構等の連動機構を利用して、リフト５１を回転駆動させる駆動機構と機械的に連結されており、この駆動機構の作動時、移動体７１，７６の左右方向に沿う往復移動とリフト５１との回転とが、連動して動作されるように構成されている。
【００５３】
さらに、実施形態の場合、リフト５１の回転と移動体７１，７６との左右往復移動とは、リフト５１の流入側移送部５４に設けた磁石５８が、受止エリア３０ａに向いて配置された際に、案内部７２，７７が、相互に接近し、流入側移送部５４の前側を開け、かつ、左右の戻し側移送部５５，５６の前側を覆う状態とし、その後、磁石５８が後方側に回転するに従って、案内部７２，７７が相互に離隔し、そして、磁石５８が、再度、受止エリア３０ａ側の前面に現れる際には、案内部７２，７７が、相互に接近し、流入側移送部５４の前側を開け、かつ、左右の戻し側移送部５５，５６の前側を覆う状態とするように、相互の動作を同期させるように、設定されている。
【００５４】
実施形態の遊技機１の作動を説明すれば、電源オンとともに、図示しない駆動機構によって、リフト５１が後方回転するとともに、案内部７２，７７を相互に接近させ、かつ、離隔させるように、移動体７１，７６が左右方向に沿って往復移動する。そして、遊技時、ワープ通路１７の入口１７ａに遊技球Ｂが入球されれば、遊技球Ｂは、出口１７ｂから下ステージ２９に転動する（図２，３参照）。この転動時、遊技球Ｂが、案内部７２若しくは案内部７７の案内により、受止エリア３０ａの案内面３１に転動して、流入側移送部５４の磁石５８、あるいは、戻し側移送部５５，５６の磁石５９に吸着されれば、リフト５１の回転に伴って、上ステージ２０側に移送される。そして、遊技球Ｂが流入側移送部５４の磁石５８に吸着されていれば、遊技球Ｂは、図５のＡ，Ｂ，Ｃに示すように、流入口４６に流入し、剥離板６３で剥がされて入賞補助通路４５内に落下し、そして、自重により、流出口４７まで転動し、流出口４７から、始動入賞口９へ向けて落下するように流出することとなる。また、遊技球Ｂが戻し側移送部５５，５６の磁石５９に吸着されていれば、遊技球Ｂは、図６のＡ，Ｂに示すように、戻しルート４２の戻しエリア２２ａ，２３ａに転動して、左面部２２や右面部２３の底部２２ｂ，２３ｂ付近まで転動し、連通口４３，４３を経て、底部２２ｂ，２３ｂから下ステージ２９に転動し、さらに、中央部３０のリフト５１付近まで転動し、排出路４０から排出されなければ、受止エリア３０ａとしての案内面３１に転動し、再度、案内部７２，７７の案内により、リフト５１で受止保持されて循環する。
【００５５】
そして、実施形態では、遊技球Ｂが下ステージ２９側を転動する際、案内部７２，７７が、リフト５１の前側の受止エリア３０ａの前側で、循環移動して、左右方向に沿って往復移動している。この案内部７２，７７の循環移動は、案内部７２，７７が下ステージ２７を転動する遊技球Ｂに接触しつつ、遊技球Ｂを流入側移送部５４に案内可能に移動する。そしてさらに、案内部７２，７７の循環移動は、遊技球Ｂを、戻し側移送部５５，５６に案内可能な位置（案内部７２，７７が相互に離隔する位置）と、案内不能とする位置（案内部７２，７７が戻し側移送部５５，５６の前側を覆う位置）と、に配置されるように、移動している。
【００５６】
そのため、リフト５１の移送動作を繰り返している際、流入側移送部５４と戻し側移送部５５，５６とのどちらの部位が、遊技球Ｂを受け止めることとなるか、下ステージ２９を転動する遊技球Ｂの速度と、流入側移送部５４と戻し側移送部５５，５６とを備えたリフト５１の移送動作の速度（実施形態では回転速度）と、に加えて、戻し側移送部５５，５６への案内部７２，７７の案内動作が加わることから、遊技球Ｂが、流入側移送部５４若しくは戻し側移送部５５，５６のどちらに受止保持されるかが、案内部７２，７７の循環移動によって幻惑されて予測し難くなる。そして勿論、リフト５１の受止エリア３０ａが配設されている下ステージ２９には、遊技球Ｂをセンター役物１６外へ排出可能な排出路４０が配設されており、遊技球Ｂは、リフト５１に受止保持されずに、排出路４０から排出される可能性もある。そのため、下ステージ２９を遊技球Ｂが転動する際、遊技球Ｂを受止保持可能なリフト５１が移送動作を繰り返すだけでなく、案内部７２，７７の循環移動による幻惑動作（案内動作でもあり、さらに、案内されない側の流入側移送部５４側から見れば邪魔する邪魔動作ともなる）も加わって、遊技球Ｂが、リフト５１の受止保持部５３における流入側移送部５４若しくは戻し側移送部５５，５６のどちらかに受止保持されて移送を開始されるか、あるいは、排出路４０から排出されるかを、それらの動作が確定するまで、遊技者にハラハラドキドキさせることとなる。
【００５７】
したがって、実施形態の遊技機１では、流入口４６付近まで遊技球Ｂを移送可能なリフト５１を設けた下ステージ２９を遊技球Ｂが転動する際、案内部７２，７７の幻惑動作（案内、邪魔動作）により、遊技球Ｂが、流入口４６に流入し易い流入側移送部５４に受止保持されて移送を開始するか、戻しルート４２に転動する戻し側移送部５５，５６に受止保持されて移送を開始するか、あるいは、排出路４０から排出されてしまうか、を、それらの動作が確定するまで、遊技者にハラハラドキドキさせることとなって、遊技の趣向性を向上させることができる。
【００５８】
そして、実施形態では、流入口４６の周囲における戻しルート４２の戻しエリア２２ａ，２３ａが、流入口４６の左右両側に配置されて、リフト５１の受止保持部５３も、流入口４６と流入口４６の左右両側の戻しエリア２２ａ，２３ａとの部位に対応して、戻し側移送部５５，５６を流入側移送部５４の左右両側に配置させて構成している。さらに、案内部７２，７７が、左右の戻し側移送部５５，５６の前側を、同時に覆うように、配設されるとともに、左右の戻し側移送部５５，５６を覆う際に、流入側移送部５４に遊技球Ｂを案内可能に流入側移送部５４の前側を開けるように、配設されている。そのため、案内部７２，７７が、左右の戻し側移送部５５，５６の前側を開閉するように覆う構成であり、それらの戻し側移送部５５，５６の前側が案内部７２，７７に覆われている際に、流入側移送部５４の前側が開けられており、案内部７２，７７が、極力、戻し側移送部５５，５６を覆って、受止エリア３０ａの遊技球を、流入側移送部５４に案内することなる。すなわち、遊技球Ｂが、リフト５１における受止保持部５３に受止保持される際、流入口４６に流入し易い流入側移送部５４に保持される確率が高まって、流入口４６に流入する期待感が増進されることから、実施形態の遊技機１では、遊技の趣向性を向上させることができる。
【００５９】
そして、実施形態では、案内部７２，７７が、流入側移送部５４の左右両側に配置させて、相互に接近しかつ離隔するように、左右方向に沿って往復移動して循環移動するとともに、相互の接近時に、流入側移送部５４の前側を開け、かつ、相互の離隔時に、流入側移送部５４と左右の戻し側移送部５５，５６との前側を開けるように、配設されている。そのため、実施形態では、常時、流入側移送部５４の前側を開けて、左右の戻し側移送部５５，５６を同時に開閉することができる。また、左右の案内部７２，７７が、リフト５１の前側を小さく開けた状態から大きく開け、相互の相対移動量を大きくすることから、案内部７２，７７に所定の意匠を施した際に（実施形態では雲型の意匠が施されている）、それらの案内部７２，７７によって、ダイナミックな演出を可能にできる。
【００６０】
さらに、実施形態では、ステージ部１９上で突出するとともに案内部７２，７７に連動して左右に往復移動する装飾体７４，７９が、案内部７２，７７に連結させて配設されている。実施形態の装飾体７４，７９は、案内部７２，７７とともに、雲型に意匠が施されている。そのため、実施形態の遊技機１では、案内部７２，７７と装飾体７４，７９との左右方向に沿う循環移動により、ステージ部１９での演出効果を一層高めることもできる。
【００６１】
さらにこの場合、実施形態では、装飾体７４，７９が、上ステージ２０から下ステージ２９に転動する戻しルート４２の連通口４３，４３を開閉可能な蓋体７５，８０として構成されている。そして、実施形態の場合には、左右の連通口４３，４３を開口する蓋体（装飾体７４，７９）７５，８０の移動タイミングと左右の戻し側移送部５５，５６を塞ぐ案内部７２，７７との閉塞タイミングとを対応させている。すなわち、案内部７２，７７が相互に離隔してリフト５１の戻し側移送部５５，５６の前側を開けている際には、蓋体７５，８０が、連通口４３，４３の前側を塞いでおり（図４のＢ参照）、そして、案内部７２，７７が、リフト５１の流入側移送部５４の前側だけを開けるように、相互に接近する際には、蓋体７５，８０が連通口４３，４３を開口させることとなる（図４のＡ参照）。そのため、遊技球Ｂが、連通口４３付近で蓋体７５，８０によって上ステージ２０側に留められていた場合には、その遊技球Ｂは、蓋体７５，８０の連通口４３の開口によって、下ステージ２９側に転動し、そして、リフト５１の受止エリア３０ａに到達すれば、案内部７２，７７がリフト５１の戻し側移送部５５，５６の前側を塞いで、流入側移送部５４の前側を開けていることから、流入側移送部５４の磁石５８に容易に吸着される。その結果、連通口４３を経て下ステージ２９に転動する遊技球Ｂが、リフト５１を利用して、流入口４６に流入する確率を高くできて、一層、遊技の趣向性を向上させることができる。
【００６２】
さらに、実施形態では、リフト５１の受止保持部５３として、流入側移送部５４と戻し側移送部５５，５６とにそれぞれ磁石５８，５９を配設して、流入側移送部５４に配設される磁石５８と戻し側移送部５５，５６に配設される磁石５９とを、リフト５１の回転軸Ｃの軸周り方向で、ずれて配設している。さらに、実施形態の場合、リフト５１の受止保持部５３における受止エリア３０ａ側のエリアにおいて、流入側移送部５４の磁石５８が受止エリア３０ａ側に向いて配置されている場合に、戻し側移送部５５，５６では、磁石５９が受止エリア３０ａ側に配置されない構成としている。
【００６３】
そのため、このような構成では、案内部７２，７７の開閉のタイミングが、仮に、既述の実施形態の説明と相違して、リフト５１の回転とずれ、案内部７２，７７が、流入側移送部５４と戻し側移送部５５，５６との前側を開けてしまい、かつ、その際、リフト５１の回転に伴い、流入側移送部５４の磁石５８が受止エリア３０ａ側に向いて配置される事態が発生しても、その際には、戻し側移送部５５，５６の前側が開いているにも拘らず、開いている流入側移送部５４で遊技球Ｂを吸着させることができて、遊技球Ｂの流入口４６への流入の期待感を、向上させることができる。
【００６４】
勿論、逆に、案内部７２，７７の開閉のタイミングが、仮に、既述の実施形態の説明と相違して、リフト５１の回転とずれた場合、リフト５１の回転角度によっては、案内部７２，７７が流入側移送部５４の前側だけ開いていても、そのエリアの流入側移送部５４に磁石５８が無く、遊技球Ｂが流入側移送部に吸着されない事態を生じさせることもできる。すなわち、実施形態の構成では、戻し側移送部５５，５６の前側を覆う案内部７２，７７の循環移動と、リフト５１の回転に伴う磁石５８，５９の回転移動と、のタイミングを、同期させたり、あるいは、同期させないようにする設定する他に、流入側移送部５４と戻し側移送部５５，５６とに設ける磁石５８，５９の配置の設定により、流入側移送部５４に遊技球を吸着させる確率を、容易に、種々設定できる。
【００６５】
なお、実施形態では、戻し側移送部５５，５６の前側を覆う案内部７２，７７の循環移動と、リフト５１の回転に伴う磁石５８，５９の回転移動と、のタイミングを、既述したように同期させている。すなわち、リフト５１の流入側移送部５４に設けた磁石５８が、受止エリア３０ａに向いて配置された際に、案内部７２，７７が、相互に接近し、流入側移送部５４の前側を開け、かつ、左右の戻し側移送部５５，５６の前側を覆う状態とし、その後、磁石５８が後方側に回転するに従って、案内部７２，７７が相互に離隔し、そして、磁石５８が、再度、受止エリア３０ａ側の前面に現れる際には、案内部７２，７７が、相互に接近し、流入側移送部５４の前側を開け、かつ、左右の戻し側移送部５５，５６の前側を覆う状態とするように、相互の動作を同期させるように、設定されている。ちなみに、左右の戻し側移送部５５，５６の磁石５９に遊技球Ｂが吸着される場合には、案内部７２，７７が相互に離隔されて戻し側移送部５５，５６の前側を開けて、その際に、リフト５１の回転軸Ｃの軸周り方向に沿って配設された三個の磁石５９のいずれかに吸着される場合であり、その場合は、主に、ワープ通路１７を経て下ステージ２９側に遊技球Ｂが入球する場合である。
【００６６】
そして、実施形態の遊技機１において、戻し側移送部５５，５６の前側を覆う案内部７２，７７の循環移動と、リフト５１の回転に伴う磁石５８，５９の回転移動と、のタイミングを同期させない場合とは、リフト５１の一回転と案内部７２，７７の接近と離隔との一サイクルとの時間が相違する場合である。例えば、磁石５８が受止エリア３０ａ側に向いて配置され、かつ、その際、案内部７２，７７が流入側移送部５４の前側だけを開けている状態が、あるものの、その状態が、リフト５１の数回転、若しくは、数十回転し、かつ、案内部７２，７７が、戻し側移送部５５，５６の前側を、リフト５１の回転数と相違した回数分、開閉するごとにしか出現しない場合、あるいは、リフト５１の一回転する間に、案内部７２，７７が接近と離隔とを繰り返すサイクルを、２回以上行ったり、さらには、案内部７２，７７が接近して離隔する一サイクル分の間に、リフト５１が二回転以上する場合がある。
【００６７】
また、回転タイプのリフトに設ける磁石としては、図８〜１１に示すリフト５１Ａのように、磁石６０を、流入側移送部５４と戻し側移送部５５，５６とにそれぞれ配設させるとともに、流入側移送部５４に配設される磁石６０と戻し側移送部５５，５６に配設される磁石６０とを、リフト５１Ａの回転軸Ｃに沿って、配設させてもよい。図例の場合には、この磁石６０は、リフト５１Ａの軸方向に沿って一本の棒状として配設され、また、受止保持部５３での磁石６０配置を遊技者が認識できるように、ロータ５２の外周面側に所定の色や模様等の意匠が施されて、配設されている。なお、図例の場合には、磁石６０は、軸周り方向に１８０°ずれて、２個配設されている。また、図例の場合には、一本の棒状の磁石６０を使用したが、流入側移送部５４と戻し側移送部５５，５６との部位にわたって、遊技球Ｂを吸着可能な小さな複数の磁石を、直列的に設けてもよい。
【００６８】
このようなリフト５１Ａでは、磁石６０が、リフト５１Ａの回転軸Ｃに沿って流入側移送部５４と戻し側移送部５５，５６とにわたるエリアに配設されており、リフト５１Ａの遊技球Ｂを吸着するタイミングが、流入側移送部５４と戻し側移送部５５，５６とで一致する。そのため、受止保持部５３が遊技球Ｂを吸着する際、案内部７２，７７が、図９のＢに示すように、戻し側移送部５５，５６の前側を開けていれば、遊技球Ｂを戻し側移送部５５，５６に吸着させ、戻し側移送部５５，５６の前側を覆っていれば、図９のＡに示すように、遊技球Ｂを流入側移送部５４に吸着させることができて、リフト５１Ａの回転と案内部７２，７７の循環移動とのタイミングを同期させて、流入側移送部５４に遊技球を吸着させる確率を、容易に安定させることができる。ちなみに、図例の場合には、回転軸Ｃの軸周り方向に沿って二個の磁石６０が配設されており、そのうちの一つが、受止エリア３０ａに向いて配置される際、案内部７２，７７が、相互に接近し、流入側移送部５４の前側を開け、かつ、左右の戻し側移送部５５，５６の前側を覆う状態とし、その後、磁石６０が後方側に回転するに従って、案内部７２，７７が相互に離隔し、そして、その磁石６０が、再度、受止エリア３０ａ側の前面に現れる際には、案内部７２，７７が、相互に接近し、流入側移送部５４の前側を開け、かつ、左右の戻し側移送部５５，５６の前側を覆う状態とするように、相互の動作を同期させるように、設定されている。
【００６９】
なお、このリフト５１Ａを設けた遊技機１Ａでは、リフト５１Ａの磁石６０の構成がリフト５１と相違しているだけで、案内部７２，７７等の構成は、遊技機１と同じである。そして、この遊技機１Ａでは、遊技時、ワープ通路１７の入口１７ａに遊技球Ｂが入球されれば、遊技球Ｂは、出口１７ｂから下ステージ２９に転動し、案内部７２若しくは案内部７７の案内により、受止エリア３０ａの案内面３１に転動して、流入側移送部５４の磁石６０、あるいは、戻し側移送部５５，５６の磁石６０に吸着されれば、リフト５１の回転に伴って、上ステージ２０側に移送される。そして、遊技球Ｂが流入側移送部５４の磁石６０に吸着されていれば、遊技球Ｂは、図１０のＡ，Ｂ，Ｃに示すように、流入口４６に流入し、剥離板６３で剥がされて入賞補助通路４５内に落下し、そして、自重により、流出口４７まで転動し、流出口４７から、始動入賞口９へ向けて落下するように流出することとなる。また、遊技球Ｂが戻し側移送部５５，５６の磁石６０に吸着されていれば、遊技球Ｂは、図１１のＡ，Ｂに示すように、戻しルート４２の戻しエリア２２ａ，２３ａに転動して、左面部２２や右面部２３の底部２２ｂ，２３ｂ付近まで転動し、連通口４３，４３を経て、底部２２ｂ，２３ｂから下ステージ２９に転動し、さらに、中央部３０のリフト５１付近まで転動し、排出路４０から排出されなければ、受止エリア３０ａとしての案内面３１に転動し、再度、案内部７２，７７の案内により、リフト５１で受止保持されて循環することとなる。
【００７０】
また、実施形態では、左右の案内部７２，７７が、左右の戻し側移送部５５，５６の前側を、同時に覆う場合に示したが、図１２〜１４に示す遊技機１Ｂのように、案内部７２Ｂ，７７Ｂが、左右の戻し側移送部５５，５６を交互に覆うように、配設するとともに、左右の戻し側移送部５５，５６の少なくとも一方を覆う際に、流入側移送部５４に遊技球Ｂを案内可能に流入側移送部５４の前側を開けるように、構成してもよい。なお、この案内部７２Ｂ，７７Ｂは、一枚の移動体８１から構成され、両者の間に、流入側移送部５４と戻し側移送部５５，５６の一つ分との合計の左右方向の幅寸法ＷＨの開口８２を設けて、配設されている。そして、移動体８１は、左右方向の往復移動ストロークを、戻し側移送部５５，５６の一つ分の左右方向の幅寸法分として、左右方向に往復移動して、左右の戻し側移送部５５，５６を交互に覆うするように、配設されている。
【００７１】
また、この遊技機１Ｂでは、移動体８１以外のリフト５１等は、実施形態の遊技機１と同じものが使用されている。なお、移動体８１には、実施形態の遊技機１の装飾体７４，７９を、一体的に連結させた状態として、設けてもよい。
【００７２】
この遊技機１Ｂでは、案内部７２Ｂ，７７Ｂが、左右の戻し側移送部５５，５６の一方の前側を開閉するように覆う構成であり、それらの戻し側移送部５５，５６の前側が案内部７２Ｂ，７７Ｂに覆われている際に、流入側移送部５４の前側が開けられており、案内部７２Ｂ，７７Ｂが、極力、戻し側移送部５５，５６を覆って、受止エリア３０ａの遊技球Ｂを、流入側移送部５４に案内することができる。すなわち、この遊技機１Ｂでも、遊技球Ｂが、リフト５１における受止保持部５３に受止保持される際、流入口４６に流入し易い流入側移送部５４の磁石５８に吸着保持される確率が高まって、流入口４６に流入する期待感が増進されることから、遊技の趣向性を向上させることができる。
【００７３】
なお、案内部としては、遊技機１，１Ａ，１Ｂの案内部７２，７２Ｂ，７７，７７Ｂのように、リフト５１，５１Ａの前側で、左右方向に沿って移動して、戻し側移送部５５，５６の前側を開閉する他、図１５，１６の遊技機１Ｃの案内部７２Ｃ，７７Ｃのように、リフト５１の前側で、鉛直方向に沿って、上下動させたり、あるいは、図１７，１８の遊技機１Ｄの案内部７２Ｄ，７７Ｄのように、リフト５１の前側で、往復回動移動させて、戻し側移送部５５，５６の前側を開閉することもできる。
【００７４】
また、これらの遊技機１，１Ａ，１Ｂ，１Ｃ，１Ｄでは、遊技球Ｂを受止保持するリフトとして、左右方向に沿う回転軸Ｃを有して回転し、磁石５８，５９，６０を受止保持部５３に利用した回転タイプのリフト（回転リフト）５１，５１Ａを例示したが、他の回転タイプのリフトとしては、受止保持部を、遊技球を保持可能なバケットや羽根から構成したものでもよい。但し、リフト５１，５１Ａのように、受止保持部５３が、略円柱形状として、外周面に、遊技球Ｂを吸着可能な磁石５８，５９，６０を配設させて構成されれば、受止保持部を、遊技球を保持可能なバケットや羽根から構成する場合に比べて、直径寸法をコンパクトに構成でき、ステージ部１９の前後方向の幅寸法に制限のある場合に好適となる。
【００７５】
また、遊技球を受止保持するリフトとしては、図１９〜２１に示す遊技機１Ｅのリフト８５のように、上面側を、下ステージ２９側で遊技球Ｂを受け止めて上ステージ２０側に上昇させ、流入口４６や戻しエリア２２ａ，２３ａに転動させるような受止保持部８６として、上下動を繰り返す上下往復移動タイプとしてもよい。
【００７６】
なお、このリフト８５の上面（受止保持部）８６は、前縁８６ａから後縁８６ｂ側にかけて下方に変位するように傾斜しており、さらに、受止保持部８６には、区画壁４９，４９の前方側に一致する位置に、遊技球Ｂが乗り越えて左右に転動しないように、区画突起８６ｃ，８６ｃが配設されている。そして、このリフト８５は、最下降時、前縁８６ａが下ステージ２９の案内面３１に連なるように配置され、最上昇時、後縁８６ｂが、上ステージ２０の戻しエリア２２ａ，２３ａや流入口４６に連なるように、上下往復移動を繰り返すように構成されている。そのため、受止保持部８６における区画突起８６ｃ，８６ｃ間の部位が、流入側移送部８７を構成し、受止保持部８６における区画突起８６ｃの外側が、戻し側移送部８８，８９を構成することとなる。
【００７７】
また、この遊技機１Ｅでは、遊技機１と同一の案内部７２，７７が配設されている。さらに、案内部７２，７７の循環移動とリフト８５の上下往復移動とのタイミングは、リフト８５が、最下降位置から最上昇位置まで上昇し、最下降位置まで下降する上下動を二回繰り返す際に、移動体７１，７６が、左右の往復移動を一回行うように、設定されている。そして、移動体７１，７６の一回の往復移動におけるリフト８５の二回の最下降時には、左右の戻し側移送部８８，８９の前側を覆って流入側移送部８７の前側を開けた状態（図１９参照）と、流入側移送部８７とともに左右の戻し側移送部８８，８９の前側を開けた状態（図２１参照）と、が交互に繰り返されるように設定されている。
【００７８】
そして、この遊技機１Ｅでも、遊技時、ワープ通路１７の入口１７ａに遊技球Ｂが入球されれば、遊技球Ｂは、出口１７ｂから下ステージ２９の案内面３１に転動し、その際、リフト８５が最下降時に配置されていれば、案内部７２若しくは案内部７７の案内により、リフト８５の受止保持部８６における流入側移送部８７、あるいは、戻し側移送部８８，８９で受止保持されれば、リフト８５の上昇に伴って、上ステージ２０側に移送される。そして、遊技球Ｂが流入側移送部８７に受止保持されていれば、遊技球Ｂは、入賞補助通路４５の流入口４６に流入し、そして、自重により、流出口４７まで転動し、流出口４７から、始動入賞口９へ向けて落下するように流出することとなる。また、遊技球Ｂが戻し側移送部８８，８９に受止保持されていれば、遊技球Ｂは、戻しルート４２の戻しエリア２２ａ，２３ａに転動して、左面部２２や右面部２３の底部２２ｂ，２３ｂ付近まで転動し、連通口４３，４３を経て、底部２２ｂ，２３ｂから下ステージ２９に転動し、さらに、中央部３０のリフト８５付近まで転動し、排出路４０から排出されなければ、受止エリア３０ａとしての案内面３１に転動し、再度、案内部７２，７７の案内により、リフト８５で受止保持されて循環することとなる。
【００７９】
また、実施形態では、デジパチタイプの遊技機１について説明したが、デジパチタイプ以外のセンター役物のあるハネモノタイプのパチンコ遊技機等に、本発明を適用してもよい。
【００８０】
さらに、実施形態では、ステージ部１９への遊技球Ｂの入球が、パイプ状のワープ通路１７からなる入球口を使用して行われる場合を例示したが、単に、飾り枠体１３の内外を貫通する入球口を利用して、ステージ部１９上に遊技球Ｂを入球させるように構成してもよい。
【００８１】
さらにまた、リフト５１，５１Ａ，８５、あるいは、ステージ部１９の中央部２１，３０付近は、内部を通過する遊技球Ｂを視認できるように、ある程度の透明度を有した合成樹脂材料等からなる透明体（若しくは半透明体）から形成してもよい。
【符号の説明】
【００８２】
１，１Ａ，１Ｂ，１Ｃ，１Ｄ，１Ｅ…（パチンコ）遊技機、
９…（始動）入賞口、
１６…センター役物、
１９…ステージ部、
２０…上ステージ、
２２ａ，２３ａ…戻しエリア、
２９…下ステージ、
３０ａ…受止エリア、
４０…排出路、
４２…戻しルート、
４３…連通口、
４５…入賞補助通路、
４６…流入口、
４７…流出口、
５１，５１Ａ，８５…リフト、
５３，８６…受止保持部、
５４，８７…流入側移送部、
５５，５６，８８，８９…戻し側移送部、
５８，５９，６０…磁石、
７２，７２Ｂ，７２Ｃ，７２Ｄ，７７，７７Ｂ，７７Ｃ，７７Ｄ…案内部、
７４，７９…装飾体、
７５，８０…蓋体、
Ｂ…遊技球。
【図１】
2010167211.tif 000003
【図２】
2010167211.tif 000004
【図３】
2010167211.tif 000005
【図４】
2010167211.tif 000006
【図５】
2010167211.tif 000007
【図６】
2010167211.tif 000008
【図７】
2010167211.tif 000009
【図８】
2010167211.tif 000010
【図９】
2010167211.tif 000011
【図１０】
2010167211.tif 000012
【図１１】
2010167211.tif 000013
【図１２】
2010167211.tif 000014
【図１３】
2010167211.tif 000015
【図１４】
2010167211.tif 000016
【図１５】
2010167211.tif 000017
【図１６】
2010167211.tif 000018
【図１７】
2010167211.tif 000019
【図１８】
2010167211.tif 000020
【図１９】
2010167211.tif 000021
【図２０】
2010167211.tif 000022
【図２１】
2010167211.tif 000023